(57)【要約】【課題】クッション本体内に封入する流動体量を増加させることなく人体が載置された場合における底着きの発生を抑制することができる流動体内臓クッションおよび流動体内臓マットを提供する。【解決手段】流動体内蔵クッション１００は、シート１０２とシート１０３とを重ね合わせて周囲を接合することにより密閉空間１０５を備えたクッション本体１０１によって構成される。密閉空間１０５内には、流動体１０７が封入されるとともに堰部１１０によって寝姿勢骨盤対向部１２０および流路１３０がそれぞれ形成される。寝姿勢骨盤対向部１２０は、ユーザの仰臥位における骨盤Ｂ１およびこの骨盤Ｂ１に繋がる２つの大転子Ｂ２の外側を断続的に囲むように配置された堰部１１０からなる寝姿勢骨盤堰部１１１によって形成されている。流路１３０は、寝姿勢骨盤堰部１１１と空間縁部１０６との間の領域に沿って設けられた堰部１１０によって形成される。【選択図】  図１
2014226247.tif 000002
【特許請求の範囲】
【請求項１】
可撓性を有する２つのシートを対向配置して形成した密閉空間内に流動体を流動可能に封入したクッション本体と、
前記クッション本体における前記密閉空間内にて前記２つのシートを互いに繋げることにより同密閉空間内を仕切って前記流動体の流動を規制する堰部とを備えて前記クッション本体が人体の下に敷かれて用いられる流動体内蔵クッションであって、
前記クッション本体は、
前記人体の座姿勢時に骨盤が対向する座姿勢骨盤対向部、同人体の仰臥位姿勢時に骨盤が対向する寝姿勢骨盤対向部、および同人体の仰臥位姿勢時に肩甲骨が対向する寝姿勢肩甲骨対向部のうちの少なくとも一つを有しており、
前記座姿勢骨盤対向部は、
前記クッション本体における前記人体の坐骨および尾骨に対向する部分の外側を断続的または連続的に囲む前記堰部からなる座姿勢骨盤堰部によって同座姿勢骨盤堰部の内側に形成されており、
前記寝姿勢骨盤対向部は、
前記クッション本体における前記人体の仙骨に対向する部分の外側および／または尾骨および坐骨に対向する部分の外側を断続的または連続的に囲む前記堰部からなる寝姿勢骨盤堰部によって同寝姿勢骨盤堰部の内側に形成されており、
前記寝姿勢肩甲骨対向部は、
前記クッション本体における前記人体の肩甲骨に対向する部分の外側を断続的または連続的に囲む前記堰部からなる寝姿勢肩甲骨堰部によって同寝姿勢肩甲骨堰部の内側に形成されており、
前記座姿勢骨盤対向部、前記寝姿勢骨盤対向部および前記寝姿勢肩甲骨対向部は、
前記座姿勢骨盤堰部、前記寝姿勢骨盤堰部および前記寝姿勢肩甲骨堰部の内側に前記堰部が形成されない無堰領域で構成されていることを特徴とする流動体内蔵クッション。
【請求項２】
請求項１に記載した流動体内蔵クッションにおいて、
前記堰部は、
前記座姿勢骨盤堰部、前記寝姿勢骨盤堰部および前記寝姿勢肩甲骨堰部の外側の領域に設けられて前記流動体の流路を形成するとともに前記クッション本体の外縁部側に設けられる前記堰部ほど同堰部の太さが太く形成されることを特徴とする流動体内蔵クッション。
【請求項３】
請求項１または請求項２に記載した流動体内蔵クッションにおいて、
前記堰部は、
前記座姿勢骨盤堰部、前記寝姿勢骨盤堰部および前記寝姿勢肩甲骨堰部の外側の領域に設けられて前記流動体の流路を形成し、
前記流路は、
前記クッション本体内における少なくとも前記流動体の注入口付近以外の前記流路において前記クッション本体の外縁部側の前記流路ほど同流路の幅が狭くなった部分を有することを特徴とする流動体内蔵クッション。
【請求項４】
請求項１ないし請求項３のうちのいずれか１つに記載した流動体内臓クッションにおいて、
前記寝姿勢骨盤対向部は、
前記人体の仰臥位姿勢時における骨盤の平面視での大きさ以上の大きさに形成されていることを特徴とする流動体内蔵クッション。
【請求項５】
請求項４に記載した流動体内臓クッションにおいて、
前記寝姿勢骨盤対向部は、さらに、
前記人体の仰臥位姿勢時における平面視での２つの大転子間の幅以上の大きさに形成されていることを特徴とする流動体内蔵クッション。
【請求項６】
請求項１ないし請求項５のうちのいずれか１つに記載した流動体内臓クッションの一部または全部を布製または樹脂製のシート材で直接的または間接的に覆った流動体内臓マット。
【発明の詳細な説明】
【技術分野】
【０００１】
本発明は、人が寝る際や座る際に体の下に敷いて用いる流動体内蔵クッションおよび流動体内臓マットに関する。
【背景技術】
【０００２】
従来から、可撓性を有する２つのシートを対向配置して形成した密閉空間内に流動体を流動可能に封入した流動体内臓クッションが知られている。例えば、下記特許文献１には、可撓性を有する２つのシートを対向配置して密閉空間を形成するクッション本体内に流動体としての液体とこの液体の流路を形成する堰部とをそれぞれ設けた寝具用の流動体内蔵クッションが開示されている。
【先行技術文献】
【特許文献】
【０００３】
【特許文献１】国際公開番号ＷＯ２００９／００１５６７号公報
【０００４】
しかしながら、上記特許文献１に記載された流動体内蔵クッションにおいては、クッション本体上に人体が載置された際に所謂底着きが生じて体圧の分散性能が著しく低下するとともにこの底着きを防止するために増量した流動体によって流動体内臓クッション全体が重くなるという問題があった。ここで底着きとは、クッション本体上に人体が載置された際にクッション本体が押し潰されてクッション本体を構成する２つのシートが互いに接触する現象であり、特に、クッション本体において人体における骨が体表に向かって張り出した部分を支持する部分で生じ易い。
【発明の概要】
【０００５】
本発明は上記問題に対処するためなされたもので、その目的は、クッション本体内に封入する流動体量を増加させることなく人体が載置された場合における底着きの発生を抑制することができる流動体内臓クッションおよび流動体内臓マットを提供することにある。
【０００６】
上記目的を達成するため、本発明の特徴は、可撓性を有する２つのシートを対向配置して形成した密閉空間内に流動体を流動可能に封入したクッション本体と、クッション本体における密閉空間内にて前記２つのシートを互いに繋げることにより同密閉空間内を仕切って流動体の流動を規制する堰部とを備えてクッション本体が人体の下に敷かれて用いられる流動体内蔵クッションであって、クッション本体は、人体の座姿勢時に骨盤が対向する座姿勢骨盤対向部、同人体の仰臥位姿勢時に骨盤が対向する寝姿勢骨盤対向部、および同人体の仰臥位姿勢時に肩甲骨が対向する寝姿勢肩甲骨対向部のうちの少なくとも一つを有しており、座姿勢骨盤対向部は、クッション本体における人体の坐骨および尾骨に対向する部分の外側を断続的または連続的に囲む堰部からなる座姿勢骨盤堰部によって同座姿勢骨盤堰部の内側に形成されており、寝姿勢骨盤対向部は、クッション本体における人体の仙骨に対向する部分の外側および／または尾骨および坐骨に対向する部分の外側を断続的または連続的に囲む堰部からなる寝姿勢骨盤堰部によって同寝姿勢骨盤堰部の内側に形成されており、寝姿勢肩甲骨対向部は、クッション本体における人体の肩甲骨に対向する部分の外側を断続的または連続的に囲む堰部からなる寝姿勢肩甲骨堰部によって同寝姿勢肩甲骨堰部の内側に形成されており、座姿勢骨盤対向部、寝姿勢骨盤対向部および寝姿勢肩甲骨対向部は、座姿勢骨盤堰部、寝姿勢骨盤堰部および寝姿勢肩甲骨堰部の内側に堰部が形成されない無堰領域で構成されていることにある。
【０００７】
このように構成した本発明の特徴によれば、流動体内蔵クッションは、流動体が封入されたクッション本体内に堰部である座姿勢骨盤堰部、寝姿勢骨盤堰部および寝姿勢肩甲骨堰部で囲った状態で座姿勢骨盤対向部、寝姿勢骨盤対向部および寝姿勢肩甲骨対向部のうちの少なくとも１つを備えるとともに、これらの座姿勢骨盤対向部、寝姿勢骨盤対向部および寝姿勢肩甲骨対向部は内側領域に堰部が存在しない無堰領域で構成されている。これにより、流動体内蔵クッションは、座姿勢骨盤対向部、寝姿勢骨盤対向部および寝姿勢肩甲骨対向部がその領域内で堰部による凹む部分を有することなく各中央部に向かって凸状に膨らんで形成されるため、流動体量を増加させることなく座姿勢骨盤対向部、寝姿勢骨盤対向部および寝姿勢肩甲骨対向部の厚さを確保することができる。この結果、流動体内蔵クッションは、クッション本体内に封入する流動体量を増加させることなく人体が載置された場合における底着きの発生を抑制することができる。
【０００８】
また、本発明に係る流動体内蔵クッションは、座姿勢骨盤対向部が人体における坐骨および尾骨を覆う大きさに形成されているとともに座姿勢骨盤対向部の内側領域に堰部が設けられていないため、底着きを生じさせ易い坐骨や尾骨に対して異物感を与えることなく効果的に弾性支持することができる。
【０００９】
また、本発明に係る流動体内臓クッションは、寝姿勢骨盤対向部が人体における仙骨および／または尾骨および坐骨を覆う大きさに形成されているとともに寝姿勢骨盤対向部の内側領域に堰部が設けられていないため、底着きを生じさせ易い仙骨および／または坐骨や尾骨に対して異物感を与えることなく効果的に弾性支持することができる。
【００１０】
また、本発明に係る流動体内臓クッションは、寝姿勢肩甲骨対向部が人体における肩甲骨を覆う大きさに形成されているとともに寝姿勢肩甲骨対向部の内側領域に堰部が設けられていないため、底着きを生じさせ易い肩甲骨に対して異物感を与えることなく効果的に弾性支持することができる。
【００１１】
また、本発明の他の特徴は、前記流動体内蔵クッションにおいて、堰部は、座姿勢骨盤堰部、寝姿勢骨盤堰部および寝姿勢肩甲骨堰部の外側の領域に設けられて流動体の流路を形成するとともにクッション本体の外縁部側に設けられる堰部ほど同堰部の太さが太く形成されることにある。
【００１２】
このように構成した本発明の他の特徴によれば、流動体内蔵クッションは、堰部が座姿勢骨盤堰部、寝姿勢骨盤堰部および寝姿勢肩甲骨堰部のうちの少なくとも１つの外側の領域に設けられて流動体の流路を形成するとともにクッション本体の外縁部側に設けられる堰部ほど同堰部の太さが太く形成されるため、座姿勢骨盤対向部、寝姿勢骨盤対向部および寝姿勢肩甲骨対向部の各厚さ（膨らみ量）を確保しながらクッション本体内の流動体量を抑えて軽量化することができる。また、流動体内蔵クッションは、座姿勢骨盤対向部、寝姿勢骨盤対向部および寝姿勢肩甲骨対向部側の堰部がクッション本体の縁部側の堰部に比べて相対的に細く形成されるため、座姿勢骨盤対向部、寝姿勢骨盤対向部および寝姿勢肩甲骨対向部上に載置される人体への接触感や異物感を抑えることができる。
【００１３】
また、本発明の他の特徴は、前記流動体内蔵クッションにおいて、堰部は、座姿勢骨盤堰部、寝姿勢骨盤堰部および寝姿勢肩甲骨堰部の外側の領域に設けられて流動体の流路を形成し、流路は、クッション本体内における少なくとも流動体の注入口付近以外の流路においてクッション本体の外縁部側の流路ほど同流路の幅が狭くなった部分を有することにある。
【００１４】
このように構成した本発明の他の特徴によれば、流動体内蔵クッションは、堰部が座姿勢骨盤堰部、寝姿勢骨盤堰部および寝姿勢肩甲骨堰部のうちの少なくとも１つの外側の領域にクッション本体の外縁部側ほど幅が狭い部分を有した流路が形成されているため、座姿勢骨盤対向部、寝姿勢骨盤対向部および寝姿勢肩甲骨対向部に存在する流動体量を増加させてこれらの厚さをより厚くすることができるとともに、これらの座姿勢骨盤対向部、寝姿勢骨盤対向部および寝姿勢肩甲骨対向部上に人体が載置された場合、各座姿勢骨盤対向部、寝姿勢骨盤対向部および寝姿勢肩甲骨対向部内からの流動体の流路への流出を外縁部に向かって段階的に抑制して人体を精度よく弾性支持することができる。
【００１５】
また、本発明の他の特徴は、前記流動体内臓クッションにおいて、寝姿勢骨盤対向部は、人体の仰臥位姿勢時における骨盤の平面視での大きさ以上の大きさに形成されていることにある。
【００１６】
このように構成した本発明の他の特徴によれば、流動体内蔵クッションは、寝姿勢骨盤対向部が人体の骨盤の平面視での大きさ以上の大きさに形成されているため、人体の仰臥位状態における腰部および臀部を精度よく弾性支持することができるとともに、人体が仰臥位状態から側臥位状態に移行した場合、すなわち、ユーザが寝返りを打った場合であっても腰部の側部を精度よく弾性支持することができる。
【００１７】
また、本発明の他の特徴は、前記流動体内臓クッションにおいて、寝姿勢骨盤対向部は、さらに、人体の仰臥位姿勢時における平面視での２つの大転子間の幅以上の大きさに形成されていることにある
【００１８】
このように構成した本発明の他の特徴によれば、流動体内蔵クッションは、寝姿勢骨盤対向部が人体の仰臥位姿勢時における平面視での２つの大転子間の幅以上の大きさで形成されているため、人体が仰臥位状態から側臥位状態に移行した場合、すなわち、人体が寝返りを打った場合や寝姿勢骨盤対向部上で人体が移動した場合であっても腰部および臀部をより精度よく弾性支持することができる。
【００１９】
また、本発明は流動体内蔵クッションの発明として実施できるばかりでなく、この流動体内蔵クッションを備えた流動体内臓マットの発明としても実施できるものである。
【００２０】
具体的には、例えば、流動体内蔵マットは、請求項１ないし請求項５のうちのいずれか１つに記載した流動体内臓クッションの一部または全部を布製または樹脂製のシート材で直接的または間接的に覆って構成するとよい。この場合、流動体内蔵マットは、流動体内蔵クッションの上側および下側のうちの少なくとも一方に弾性体（例えば、羽毛、綿、発泡樹脂、ウレタンなど）からなる詰物を配置して構成することもできる。これらによっても、流動体内蔵マットは、上記流動体内蔵クッションと同様の作用効果が期待できる。
【図面の簡単な説明】
【００２１】
【図１】本発明に係る流動体内蔵クッションの全体構成の概略を模式的に示す平面図である。
【図２】図１に示す流動体内蔵クッションにおけるＡ−Ａ線から見た流動体内蔵クッションの断面を模式的に示す断面図である。
【図３】本発明の変形例に係る流動体内蔵クッションの全体構成の概略を模式的に示す平面図である。
【図４】本発明の他の変形例に係る流動体内蔵クッションの全体構成の概略を模式的に示す平面図である。
【図５】本発明の他の変形例に係る流動体内蔵クッションの全体構成の概略を模式的に示す平面図である。
【図６】本発明の他の変形例に係る流動体内蔵クッションの全体構成の概略を模式的に示す平面図である。
【図７】本発明の他の変形例に係る流動体内蔵クッションの全体構成の概略を模式的に示す平面図である。
【図８】本発明の他の変形例に係る流動体内蔵クッションの全体構成の概略を模式的に示す平面図である。
【図９】本発明に係る流動体内蔵マットの全体構成の概略を模式的に示す斜視図である。
【発明を実施するための形態】
【００２２】
（流動体内蔵クッション１００の構成）
以下、本発明に係る流動体内蔵クッションの一実施形態について図面を参照しながら説明する。図１は、本発明に係る流動体内蔵クッション１００の全体構成の概略を模式的に示す平面図である。また、図２は、図１に示す流動体内蔵クッション１００におけるＡ−Ａ線から見た流動体内蔵クッション１００の断面を模式的に示す断面図である。なお、本明細書において参照する各図は、本発明の理解を容易にするために一部の構成要素を誇張して表わすなど模式的に表している。このため、各図面間および各構成要素間の寸法や比率などは異なっていることがある。この流動体内蔵クッション１００は、ユーザが横になる際にユーザの腰部および臀部の下に敷いて用いるものである。
【００２３】
この流動体内蔵クッション１００は、クッション本体１０１によって構成されている。クッション本体１０１は、２つの方形状のシート１０２とシート１０３とを互いに重ね合わせて周囲を接合することによってこれら２つのシート１０２とシート１０３との間に密閉空間１０５を形成して構成されている。より具体的には、このクッション本体１０１は、撓み変形が可能な所謂可撓性を有する合成樹脂製のシート材からなる２つのシート１０２およびシート１０３における各外縁部を全周に亘って熱溶着にて接合した外周接合部１０４によって一体化されて構成されている。
【００２４】
本実施形態においては、２つのシート１０２，１０３は、縦が約４００ｍｍ、横が約５００ｍｍおよび厚さが約０.６ｍｍのＥＶＡ（エチレン酢酸ビニル）樹脂シートによって構成されている。なお、本実施形態における流動体内蔵クッション１００は、図示上下方向が流動体内蔵クッション１００を使用するユーザの身長方向（図示上側が頭部）であり縦方向となるとともに、図示左右方向がユーザの身長方向に直交する左右方向であり横方向となる。
【００２５】
密閉空間１０５は、２つのシート１０２とシート１０３との間で流動体１０７を液密的に保持する収容部である。この密閉空間１０５は、２つのシート１０２とシート１０３とを各シート１０２，１０３における外周接合部１０４の内側部分を外周接合部１０４に沿って互いに接合した空間縁部１０６によって密閉された袋状に形成されている。本実施形態においては、空間縁部１０６は、シート１０２とシート１０３とを熱溶着により互いに接合して構成されている。
【００２６】
この密閉空間１０５を構成する空間縁部１０６は、クッション本体１０１における外周接合部１０４の一部とともに形成された１つの注水口１０６ａと、空間縁部１０６のみによって形成された３つの張出部１０６ｂ〜１０６ｄとをそれぞれ備えている。これらのうち、注水口１０６ａは、密閉領域１０４内に流動体１０７を注入するための開口部であり、クッション本体１０１における外周接合部１０４の一部、より具体的には、外周部１０４における図示上側の左右方向中央部に繋がって形成されている。この注水口１０６ａは、密閉領域１０５内に流動体１０７を注入した後閉塞される。
【００２７】
張出部１０６ｂ〜１０６ｄは、密閉空間１０５内において後述する堰部１１０とともに流動体１０７の流路を形成する部分であり、密閉空間１０５の内側に向かってそれぞれ凸状に張り出して形成されている。これらの張出部１０６ｂ〜１０６ｄのうち、張出部１０６ｂ，１０６ｃは空間縁部１０６における図示左右方向における両端部に形成されているとともに、張出部１０６ｄは空間縁部１０６における図示下側の左右方向中央部形成されている。
【００２８】
密閉空間１０５内に封入される流動体１０７は、クッション本体１０１上に載置されるユーザの腰部および臀部を密閉空間１０５内で支持するための液体である。本実施形態においては、流動体１０７は、水によって構成されている。この場合、流動体１０７には、凍結防止剤（例えば、プロピレングリコールや塩化ナトリウムなど）、粘性を高める増粘剤（例えば、アルギン酸や多糖類など）、腐敗を防止する腐敗防止剤や酸化防止剤（二酸化塩素など）を適宜添加してもよい。この流動体１０７は、クッション本体１０１に加えられる外力（ユーザの体重の一部）によってクッション本体１０１を撓み変形させながら密閉空間１０５内を流動できる量だけ充填される。なお、この流動体１０７は、密閉空間１０５内にて流動可能な液体、気体、固体（例えば、粒状物）であれば水に限定されるものではない。
【００２９】
密閉空間１０５内には、堰部１１０によって寝姿勢骨盤対向部１２０および流路１３０がそれぞれ形成されている。堰部１１０は、密閉空間１０５内をシート１０２，１０３間で仕切って流動体１０７の流れる方向を規制するための壁体であり、クッション本体１０１を構成するシート１０２とシート１０３とを熱溶着によって互いに接合することにより形成されている。
【００３０】
寝姿勢骨盤対向部１２０は、クッション本体１０１上に仰臥するユーザの骨盤Ｂ１に対向してユーザの腰部および臀部を支持する部分である。この寝姿勢骨盤対向部１２０は、ユーザの仰臥位における骨盤Ｂ１およびこの骨盤Ｂ１に繋がる２つの大転子Ｂ２の各外側を断続的に囲むように配置された堰部１１０からなる寝姿勢骨盤堰部１１１によって寝姿勢骨盤堰部１１１の内側領域に形成されている。すなわち、寝姿勢骨盤対向部１２０は、ユーザの仰臥位状態における平面視での２つの大転子Ｂ２間を含む骨盤Ｂ１の大きさ以上の大きさに形成されるとともに、寝姿勢骨盤対向部１２０内に堰部１１０が存在しない無堰領域で構成されている。なお、図１においては、骨盤Ｂ１および大転子Ｂ２をそれぞれ二点鎖線で示している。
【００３１】
流路１３０は、寝姿勢骨盤対向部１２０に対して流動体１０７を出入りさせながら仰臥位状態または側臥位状態のユーザの腰部および臀部を含む領域を支持する部分である。この流路１３０は、寝姿勢骨盤堰部１１１と空間縁部１０６との間の領域にこれらに沿って延びる堰部１１０によって同堰部１１０の両側にそれぞれ形成される。
【００３２】
この場合、流路１３０は、密閉空間１０５内において注入口１０６ａに繋がる注入口付近Ｃ（図中破線で示す）以外の部分に形成された流路１３０がクッション本体１０１の外縁部側の流路１３０ほど幅が狭い部分を有して構成されている。ここで、流路１３０の幅の狭い部分とは、互いに隣接する堰部１１０同士または互いに隣接する堰部１１０と空間縁部１０６との間で両者の間が狭い（近い）部分である。例えば、堰部１１０と空間縁部１０６との間の一部の幅Ｗ１は、この堰部１１０と寝姿勢骨盤堰部１１１との間の一部の幅Ｗ２よりも狭く形成されている。また、堰部１１０と張出部１０６ｄとの間の一部の幅Ｗ３は、この張出部１０６ｄと寝姿勢骨盤堰部１１１との間の一部の幅Ｗ４よりも狭く形成されている。すなわち、空間縁部１０６における張出部１０６ｂ〜１０６ｄは、クッション本体１０１の外縁部側の流路１３０ほど幅を狭くするように空間縁部１０６から張り出して形成されている。
【００３３】
このように流路１３０の幅を寝姿勢骨盤対向部１２０の幅（内径）よりも狭くするとともにクッション本体１０１の外縁部側の流路１３０ほど狭く形成することによって寝姿勢骨盤対向部１２０の厚さｔ１を最も厚くしつつ流路１３０の厚さｔ２を寝姿勢骨盤堰部１１１側からクッション本体１０１の外縁部側に向かって段階的に低く形成することができる（図２参照）。また、流路１３０の幅を寝姿勢骨盤対向部１２０の幅（内径）よりも狭くするとともにクッション本体１０１の外縁部側の流路１３０ほど狭く形成することによって寝姿勢骨盤対向部１２０内から流路１３０に流出する流動体１０７の流速を抑えることができる。
【００３４】
また、流路１３０を形成する各堰部１１０は、クッション本体１０１の外縁部側の堰部１１０ほど太さが太く形成されている。本実施形態においては、６つの寝姿勢骨盤堰部１１１はそれぞれ５ｍｍの太さで形成されており、これら６つの寝姿勢骨盤堰部１１１の外側に設けられた４つの堰部１１０はそれぞれ８ｍｍの太さで形成されている。なお、寝姿勢骨盤堰部１１１の太さは、４ｍｍ以上かつ６ｍｍ以下が好適であり、寝姿勢骨盤堰部１１１以外の堰部１１０の太さは５ｍｍ以上かつ１０ｍｍ以下が好適である。
【００３５】
ここで、流動体内蔵クッション１００の製造方法について説明しておく。この流動体内蔵クッション１００は、従来の流動体内蔵クッションと同様の工程によって製造することができる。すなわち、流動体内蔵クッション１００を製造する作業者は、２つのシート１０２，１０３をそれぞれ用意した後、図示しない高周波ウェルダー加工機を用いて２つのシート１０２とシート１０３とを互いに溶着する。この場合、高周波ウェルダー加工機は、クッション本体１０１における注水口１０６ａを除く外周接合部１０４および空間縁部１０６、および寝姿勢骨盤堰部１１１を含む堰部１１０に対応する２つのシート１０２，１０３上の各位置を溶着する。
【００３６】
これにより、２つのシート１０２，１０３は、これら２つのシート１０２，１０３間に注水口１０６ａを除く外周接合部１０４および空間縁部１０６、および寝姿勢骨盤堰部１１１を含む堰部１１０がそれぞれ形成されるとともに、これらによって形成された密閉空間１０５が注水口１０６ａを介して外部に連通した袋状に形成される。
【００３７】
次に、作業者は、袋状に形成された２つのシート１０２，１０３間に流動体１０７を充填する。具体的には、作業者は、注水口１０６ａを介して２つのシート１０２，１０３間に流動体１０７を注水する。この場合、流動体１０７を注水する量は、流動体内蔵クッション１００の仕様に応じて適宜決定されるが、少なくとも、クッション本体１０１に加えられる外力によってクッション本体１０１を撓み変形させながら密閉空間１０５内を流動できる量だけ充填される。また、この流動体１０７の注水作業においては、密閉空間１０５内における注入口付近Ｃが注水口１０６ａ側に向って広くなるように形成されているため、流動体１０７を効率良く導入することができる。
【００３８】
次に、作業者は、袋状の２つのシート１０２，１０３間に形成された注水口１０６ａを熱溶着用のヒータを用いて密封する。これにより、２つのシート１０２，１０３の外周接合部１０４および密閉空間１０５の空間縁部１０６の各全周が完全に接合されて密閉空間１０５を備えるクッション本体１０１、すなわち、流動体内蔵クッション１００が完成する。この場合、クッション本体１０１内においては、前記したように、寝姿勢骨盤対向部１２０の厚さｔ１を最も厚くしつつ流路１３０の厚さｔ２を寝姿勢骨盤堰部１１１側からクッション本体１０１の外縁部側に向かって段階的に低く形成される（図２参照）。なお、シート１０２とシート１０３との接合は、高周波ウェルダー加工や溶着用のヒータ以外の熱溶着方法、例えば、超音波ウェルダー加工やインパルス熱溶着加工を用いて溶着するようにしてもよいし、熱溶着以外の方法、例えば、接着材による接着によって接合してもよい。
【００３９】
（流動体内蔵クッション１００の作動）
次に、上記のように構成した流動体内蔵クッション１００の作動について説明する。まず、ユーザは、流動体内蔵クッション１００を用意する。次に、ユーザは、横になる場所（例えば、床面上、長椅子上、布団上またはベッド上など）における腰部および臀部の載置場所上に流動体内蔵クッション１００を配置する。この場合、ユーザは、流動体内蔵クッション１００上にシーツ、敷きパッド（シーツより厚手の敷物）、薄手の布団または薄手のマットレスなどを敷いて流動体内蔵クッション１００を覆うこともできる。
【００４０】
次に、ユーザは、前記配置した流動体内蔵クッション１００上に仰臥する。この場合、ユーザは、自身の骨盤Ｂ１がクッション本体１０１における寝姿勢骨盤対向部１２０上に位置するように流動体内蔵クッション１００上に仰臥する。これにより、ユーザの腰部および臀部は、主として、流動体内蔵クッション１００の寝姿勢骨盤対向部１２０によって支持される。
【００４１】
ここで、本発明者による実験によれば、人体の仰臥位状態における腰部および臀部においては、骨盤Ｂ１における仙骨、坐骨および尾骨に面する体表面に体圧が集中する。一方、寝姿勢骨盤対向部１２０は、内側領域に堰部１１０が存在しない無堰領域で構成されているため、寝姿勢骨盤対向部１２０の中央部に向かって凹むことなく凸状に膨らんで形成される。また、寝姿勢骨盤対向部１２０は、骨盤Ｂ１における仙骨、坐骨および尾骨を覆うことができる大きさ、より具体的には平面視における骨盤Ｂ１および２つの大転子Ｂ２間を覆うことができる大きさに形成されている。これらにより、流動体内蔵クッション１００における寝姿勢骨盤対向部１２０は、ユーザの腰部および臀部、とりわけ、仙骨、坐骨および尾骨に面する体表面部分に対して底着きを生じさせることなく支持することができる。
【００４２】
また、本発明者の実験によれば、人体の側臥位状態における腰部においては、骨盤Ｂ１における腸骨および大転子Ｂ２に面する体表面に体圧が集中するとともに、人体の仰臥位状態と側臥位状態の中間である半側臥位状態における腰部においては骨盤Ｂ１における大腿骨頭および大転子Ｂ２に面する体表面に体圧が集中する。一方、寝姿勢骨盤対向部１２０は、平面視における骨盤Ｂ１および２つの大転子Ｂ２間を覆うことができる大きさに形成されている。したがって、ユーザが仰臥位姿勢から半側臥位および側臥位姿勢に寝返りを打った際においても流動体内蔵クッション１００における寝姿勢骨盤対向部１２０は、ユーザの腰部、とりわけ、骨盤Ｂ１における腸骨、大腿骨頭および大転子Ｂ２に面する体表面部分に対して底着きを生じさせることなく支持することができる。
【００４３】
また、流動体内蔵クッション１００は、クッション本体１０１内における流路１３０の幅をクッション本体１０１の外縁部側の流路１３０ほど狭く形成しているため、寝姿勢骨盤対向部１２０の厚さをクッション本体１０１内において最も厚く形成できるほか、寝姿勢骨盤対向部１２０内の流動体１０７の流路１３０への流出速度を遅くするとともに寝姿勢骨盤対向部１２０内で多くの流動体１０７を留まらせて厚さの減少を抑えることができる。
【００４４】
したがって、流動体内蔵クッション１００は、例えば、ユーザが仰臥する上半身を起き上がらせるギャッチアップ機能を有したギャッチアップベッドにセットされた場合においては、このギャッチアップ時においても寝姿勢骨盤対向部１２０内から寝姿勢骨盤対向部１２０の下方の流路１３０への流動体１０７の流出を抑えながらユーザの腰部および臀部を支持することができる。
【００４５】
また、流動体内蔵クッション１００は、クッション本体１０１内における各堰部１１０をクッション本体１０１の外縁部側の堰部１１０ほど太さを太く形成しているため、寝姿勢骨盤対向部１２０の厚さを確保しながらクッション本体１０１内の流動体１０７の総量を抑えて軽量化することができる。また、流動体内蔵クッション１００は、寝姿勢骨盤対向部１２０側の堰部１１０がクッション本体１０１の縁部側の堰部１１０に比べて相対的に細く形成されるため、寝姿勢骨盤対向部１２０上に載置される人体への接触感や異物感を抑えることができる。
【００４６】
そして、流動体内蔵クッション１００の使用を終える場合には、ユーザは、流動体内蔵クッション１００上から人体を離脱させる。これにより、流動体内蔵クッション１００は、ユーザの腰部および臀部が載置されていた寝姿勢骨盤対向部１２０内に周辺領域から流動体１０７が流入するため、使用前の状態に復元する。
【００４７】
上記作動説明からも理解できるように、上記実施形態によれば、流動体内蔵クッション１００は、流動体１０７が封入されたクッション本体１０１内に堰部１１０である寝姿勢骨盤堰部１１１で囲った状態で寝姿勢骨盤対向部１２０を備えるとともに、この寝姿勢骨盤対向部１２０は内側領域に堰部１１０が存在しない無堰領域で構成されている。これにより、流動体内蔵クッション１００は、寝姿勢骨盤対向部１２０がその領域内で堰部１１０によって凹む部分を有することなく各中央部に向かって凸状に膨らんで形成されるため、流動体１０７の総量を増加させることなく寝姿勢骨盤対向部１２０の厚さを確保することができる。この結果、流動体内蔵クッション１００は、クッション本体１０１内に封入する流動体１０７量を増加させることなく人体が載置された場合における底着きの発生を抑制することができる。
【００４８】
さらに、本発明の実施にあたっては、上記実施形態に限定されるものではなく、本発明の目的を逸脱しない限りにおいて種々の変更が可能である。なお、下記各変形例の説明および参照する図においては、上記実施形態と同様の構成部分について同じ符号を付して、その説明を省略する。
【００４９】
例えば、上記実施形態においては、流動体内蔵クッション１００は、寝姿勢骨盤対向部１２０の平面視での大きさをユーザの仰臥位状態での２つの大転子Ｂ２間を含む骨盤Ｂ１の平面視での大きさ以上の大きさに形成した。しかし、寝姿勢骨盤対向部１２０は、人体の仰臥位状態における仙骨に対向する部分および／または尾骨および坐骨に対向する部分を覆う大きさで形成されていればよく、必ずしも、上記実施形態に限定されるものではない。
【００５０】
したがって、流動体内蔵クッション１００は、例えば、図３に示すように、人体の仰臥位状態における腰部の両側部の外側に４つの寝姿勢骨盤堰部１１１を配置することにより腰幅に対応する横幅の寝姿勢骨盤対向部１２０を形成するとともに、これら４つの寝姿勢骨盤対向部１２０の横幅方向に沿って堰部１１０を形成することにより全体として横長に形成することができる。これによれば、流動体内蔵クッション１００は、寝姿勢骨盤対向部１２０が上記実施形態における寝姿勢骨盤対向部１２０よりも横長に形成されるため、ユーザが仰臥位状態から側臥位状態に寝返りした場合や、就寝中に横幅方向に移動した場合においても精度よくユーザの腰部および臀部を支持することができる。なお、図３においては、ユーザの仰臥位時における臀部および大腿部の腰部周辺部Ｙを二点鎖線で示している。また、図３に示した流動体内臓クッション１００においては、張出部１０６ｄが空間縁部１０６における図示上側および下側の各左右方向中央部形成されている。また、空間縁部１０６とこの空間縁部１０６に隣接する堰部１１０との間の一部の幅Ｗ１、寝姿勢骨盤堰部１１１とこの寝姿勢骨盤堰部１１１に隣接する堰部１１０との間の一部の幅Ｗ２、空間縁部１０６に隣接する堰部１１０と寝姿勢骨盤堰部１１１に隣接する堰部１１０との間の一部の幅Ｗ２’の各関係は、Ｗ１＜Ｗ２’＜Ｗ２となっている。
【００５１】
また、流動体内蔵クッション１００は、例えば、図４に示すように、人体の仰臥位状態における腸骨に対向する部分を囲むように２つの寝姿勢骨盤堰部１１１を配置するとともに、これら２つの寝姿勢骨盤堰部１１１に対向する側に空間縁部１０６を兼ねる外周接合部１０４を形成することにより寝姿勢骨盤対向部１２０を形成することもできる。この場合、外周接合部１０４は、２つの寝姿勢骨盤堰部１１１の内側に腸骨を配置した場合において、仰臥位状態における骨盤Ｂ１の尾骨に対して若干仙骨側（仙骨の最も外側に張り出した部分と尾骨との間）に位置するように形成される。このように、外周接合部１０４を骨盤Ｂ１の尾骨に対して若干仙骨側に配置する理由は、仰臥位状態の骨盤Ｂ１においては尾骨に対して若干仙骨側の幅方向の領域に体表に向かって張り出す骨部が存在せず、仰臥位状態において体圧の集中する部分が生じないことを本発明者が実験によって知見したことによる。なお、図４においては、骨盤Ｂ１および大転子Ｂ２をそれぞれ二点鎖線で示している。
【００５２】
したがって、このように構成した流動体内蔵クッション１００によれば、寝姿勢骨盤対向部１２０が仰臥位状態における骨盤Ｂ１の仙骨および腸骨に対向して形成されるため、流動体内蔵クッション１００の全体の大きさをコンパクトにしながら仰臥位状態および側臥位状態における腰部および臀部の各上部を効果的に支持することができる。なお、この図４に示した流動体内蔵クッション１００は、上下方向を反転して配置すれば、仰臥位状態における骨盤Ｂ１の尾骨および坐骨に対向する部分に寝姿勢骨盤対向部１２０が形成されるため、仰臥位状態および側臥位状態における腰部および臀部の各下部を効果的に支持することができる。なお、図４に示す流動体内臓クッション１００は、前記図３に示す流動体内臓クッション１００と同様に、空間縁部１０６を兼ねる外周接合部１０４とこの外周接合部１０４に隣接する堰部１１０との間の一部の幅Ｗ１、寝姿勢骨盤堰部１１１とこの寝姿勢骨盤堰部１１１に隣接する堰部１１０との間の一部の幅Ｗ２、外周接合部１０４に隣接する堰部１１０と寝姿勢骨盤堰部１１１に隣接する堰部１１０との間の一部の幅Ｗ２’の各関係は、Ｗ１＜Ｗ２’＜Ｗ２となっている。
【００５３】
また、流動体内蔵クッション１００は、例えば、図５に示すように、人体の仰臥位状態における仙骨、腸骨、尾骨および坐骨を含む骨Ｂ１全体に対向する部分を囲むように４つの寝姿勢骨盤堰部１１１を配置して図示縦長の寝姿勢骨盤対向部１２０を形成するとともに、この寝姿勢骨盤対向部１２０の縦幅方向に沿って堰部１１０を形成することにより全体として縦長に形成することもできる。この場合、クッション本体１０１内において最も外側に配置された堰部１１０にクッション本体１０１を貫通する貫通孔１１０ａを設けることができる。このように構成した流動体内蔵クッション１００はよれば、寝姿勢骨盤対向部１２０が上記実施形態における寝姿勢骨盤対向部１２０よりも縦長に形成されるため、幅広い身長のユーザに対して１つの流動体内蔵クッション１００を共通に用いることができる。また、この流動体内蔵クッション１００は、堰部１１０に設けた貫通孔１１０ａによって通気性を確保することができる。なお、図５においては、骨盤Ｂ１および大転子Ｂ２をそれぞれ二点鎖線で示している。また、図５に示す流動体内臓クッション１００は、前記図４に示す流動体内臓クッション１００と同様に、空間縁部１０６を兼ねる外周接合部１０４とこの外周接合部１０４に隣接する堰部１１０との間の一部の幅Ｗ１、寝姿勢骨盤堰部１１１とこの寝姿勢骨盤堰部１１１に隣接する堰部１１０との間の一部の幅Ｗ２、外周接合部１０４に隣接する堰部１１０と寝姿勢骨盤堰部１１１に隣接する堰部１１０との間の一部の幅Ｗ２’の各関係は、Ｗ１＜Ｗ２’＜Ｗ２となっている。
【００５４】
また、上記実施形態においては、流動体内蔵クッション１００は、人体の寝姿勢における腰部および臀部の下に敷かれてこれらを支持するように構成した。しかし、流動体内蔵クッション１００は、人体の寝姿勢時における骨盤Ｂ１のほか、人体の座姿勢時における骨盤Ｂ１および人体の寝姿勢における肩甲骨Ｂ３に対向配置されるように構成されていればよい。すなわち、流動体内蔵クッション１００は、人体の座姿勢時における骨盤Ｂ１に対向配置される座姿勢骨盤対向部、人体の寝姿勢時における骨盤に対向配置される寝姿勢骨盤対向部、および人体の寝姿勢における肩甲骨に対向配置される寝姿勢肩甲骨対向部のうちの少なくとも１つを備えて構成されていればよい。
【００５５】
具体的には、例えば、図６に示すように、流動体内蔵クッション１００は、人体の仰臥位状態における両肩の肩甲骨Ｂ３に対向する部分を囲むように４つの寝姿勢肩甲骨堰部１１２を配置して寝姿勢肩甲骨対向部１２１を形成するとともに、この寝姿勢肩甲骨対向部１２１に対して図示下方（人体における腰側）に沿って５つの堰部１１０をそれぞれ形成することにより全体として縦長に形成することができる。なお、図６においては、肩甲骨Ｂ３を二点鎖線で示している。
【００５６】
この場合、クッション本体１０１は、人体の仰臥位状態における肩部から腰部に掛けての平面視での形状に対応して図示下側に向かって幅が狭くなる逆台形状に形成することができる。また、クッション本体１０１における外周接合部１０４は、外周接合部１０４における一部、より具体的には図示上辺部および図示中間部がそれぞれ内側に向かって突出して空間縁部１０６としての張出部１０６ｂ〜１０６ｄがそれぞれ形成されるとともに、その他の部分が上記実施形態における空間縁部１０６を兼ねる外周接合部１０４として構成されている。このように構成した流動体内蔵クッション１００によれば、寝姿勢肩甲骨対向部１２１が人体における肩甲骨Ｂ３を覆う大きさに形成されているとともに寝姿勢肩甲骨対向部１２１の内側領域に堰部１１０が設けられていないため、底着きを生じさせ易い肩甲骨Ｂ３に対して異物感を与えることなく効果的に弾性支持することができる。なお、図６に示す流動体内臓クッション１００は、前記図４，５にそれぞれ示す流動体内臓クッション１００と同様に、空間縁部１０６を兼ねる外周接合部１０４とこの外周接合部１０４に隣接する堰部１１０との間の一部の幅Ｗ１、寝姿勢肩甲骨堰部１１２とこの寝姿勢肩甲骨堰部１１２に隣接する堰部１１０との間の一部の幅Ｗ２、外周接合部１０４に隣接する堰部１１０と寝姿勢肩甲骨堰部１１２に隣接する堰部１１０との間の一部の幅Ｗ２’の各関係は、Ｗ１＜Ｗ２’＜Ｗ２となっている。また、注入口付近Ｃは、注水口１０６ａ側と寝姿勢肩甲骨対向領域１２１との間で幅が一定に形成されている。
【００５７】
また、例えば、図７に示すように、流動体内蔵クッション１００は、人体の座姿勢における骨盤Ｂ１の尾骨および坐骨にそれぞれ対向する領域ＢＴ，ＢＺを囲むように連続的なリング状の座姿勢骨盤堰部１１３を配置することにより円形の座姿勢骨盤対向部１２２を形成して全体として平面リング形状に形成することができる。すなわち、流動体内蔵クッション１００は、座姿勢骨盤対向部１２２が内側領域に流動体１０７が存在しない貫通孔で構成されるとともに、この座姿勢骨盤対向部１２２と外周接合部１０４との間の領域に流動体１０７が封入された密閉空間１０５が形成されて構成されている。このことは、座姿勢骨盤対向部１２２、寝姿勢骨盤対向部１２０および寝姿勢肩甲骨対向部１２１を構成する無堰領域は、水や空気などの流動体１０７のみが存在して形成されていれば良いことを意味する。
【００５８】
そして、図７に示す流動体内蔵クッション１００においては、クッション本体１０１における座姿勢骨盤対向部１２２の外側の密閉空間１０５内に断続的な２重のリング状の堰部１１０が設けられている。この場合、堰部１１０は、クッション本体１０１の密閉空間１０５内において流路１３０の幅が外周部側の流路１３０ほど狭く形成されるように配置されるとともに、堰部１１０自身の太さも外周部側の流路堰部１１０ほど広く（太く）なるように形成されている。
【００５９】
すなわち、図７に示す流動体内臓クッション１００は、前記図４〜６にそれぞれ示す流動体内臓クッション１００と同様に、空間縁部１０６を兼ねる外周接合部１０４とこの外周接合部１０４に隣接する堰部１１０との間の一部の幅Ｗ１、座姿勢骨盤堰部１１３とこの座姿勢骨盤堰部１１３に隣接する堰部１１０との間の一部の幅Ｗ２、外周接合部１０４に隣接する堰部１１０と座姿勢骨盤堰部１１３に隣接する堰部１１０との間の一部の幅Ｗ２’の各関係は、Ｗ１＜Ｗ２’＜Ｗ２となっている。
【００６０】
このように構成した流動体内臓クッション１００においては、ユーザが流動体内臓クッション１００上に着座した際、ユーザの尾骨および坐骨に対向する部分が貫通孔からなる座姿勢骨盤対向部１２２で構成されているとともにユーザの尾骨および坐骨の外側の臀部を座姿勢骨盤対向部１２２の外側のクッション本体１０１が支持するため、底着きを生じさせ易い尾骨および坐骨に対して異物感を与えることなく安定的に弾性支持することができる。また、流動体内臓クッション１００は、クッション本体１０１における密閉空間１０５は外周接合部１０４側から座姿勢骨盤堰部１１３側に向かって厚さが段階的に厚くなるため、流動体１０７の総量の増加を抑えつつユーザが着座した際における底着きを抑制することができる。
【００６１】
さらに、流動体内臓クッション１００は、ユーザの着座によってユーザの大腿部に対向して同大腿部を支持する大腿部対向部Ｄの流動体１０７が大腿部対向部Ｄの周囲の領域に押し退けられるが、ユーザの臀部を支持する部分から押し退けられる流動体１０７によって大腿部対向部Ｄからの流動体１０７の流出量が制限されるため、大腿部の底着きを抑えながら安定的に支持することができる。なお、図７においては、ユーザが腰掛けた座姿勢時における臀部および大腿部の腰部周辺部Ｙを二点鎖線で示すとともに、この座姿勢時における骨盤Ｂ１の尾骨および坐骨に対向する領域ＢＴ，ＢＺおよび大腿部対向部Ｄをそれぞれ二点鎖線で示している。
【００６２】
また、クッション本体１０１の密閉空間１０５内において流路１３０の幅を外周部側ほど狭く形成するとともに堰部１１０自身の太さを外周部側ほど太くする堰部１１０として、例えば、図８に示すように、堰部１１０をクッション本体１０１の内周部側から外周部側に向かって広がりながら円弧状に延びる勾玉状やドロップ状に形成することもできる。また、堰部１１０は、クッション本体１０１の密閉空間１０５内において流路１３０の幅が外周部側の流路１３０ほど狭く形成されるように配置される。
【００６３】
すなわち、空間縁部１０６を兼ねる外周接合部１０４と堰部１１０との間の一部の幅Ｗ１は、座姿勢骨盤堰部１１３と堰部１１０との間の一部の幅Ｗ２に対して狭く形成されている。このように構成した流動体内臓クッション１００においても、クッション本体１０１における密閉空間１０５は外周接合部１０４側から座姿勢骨盤堰部１１３側に向かって厚さが段階的に厚くなるため、流動体１０７の総量の増加を抑えつつユーザが着座した際における底着きを抑制することができる。
【００６４】
また、流動体内臓クッション１００は、ユーザの着座によってユーザの大腿部に対向して同大腿部を支持する大腿部対向部Ｄの流動体１０７が大腿部対向部Ｄの周囲の領域に押し退けられるが、ユーザの臀部を支持する部分から押し退けられる流動体１０７によって大腿部対向部Ｄからの流動体１０７の流出量が制限されるため、大腿部の底着きを抑えながら安定的に支持することができる。なお、図８においては、ユーザが腰掛けた座姿勢時における臀部および大腿部の腰部周辺部Ｙを二点鎖線で示すとともに、この座姿勢時における骨盤Ｂ１の尾骨および坐骨に対向する領域ＢＴ，ＢＺおよび大腿部対向部Ｄをそれぞれ二点鎖線で示している。
【００６５】
また、図７，図８に示したように、流動体内臓クッション１００におけるシート本体１０１をリング状に形成する場合、シート本体１０１は平面視で真円形状に限定されるものではなく、真円以外の形状、例えば、横長の楕円形状、おむすび形状（ギターのピック状）、リンゴの断面形状（ハート形）などの形状で構成することができる。これらの形状によれば、流動体内臓クッション１００は、臀部や大腿部の幅が広いユーザを安定的に支持することができる。
【００６６】
また、上記実施形態および上記各変形例においては、流動体内臓クッション１００は、寝姿勢骨盤対向部１２０、寝姿勢肩甲骨対向部１２１および座姿勢骨盤対向部１２２のうちの１つを備えて構成した。しかし、流動体内臓クッション１００は、寝姿勢骨盤対向部１２０、寝姿勢肩甲骨対向部１２１および座姿勢骨盤対向部１２２のうちの少なくとも１つを備えて構成されていればよく、必ずしも上記実施形態および上記各変形例に限定されるものではない。すなわち、流動体内臓クッション１００は、寝姿勢骨盤対向部１２０、寝姿勢肩甲骨対向部１２１および座姿勢骨盤対向部１２２のうちの２つ以上を備えて構成することができる。
【００６７】
また、上記実施形態および上記各変形例においては、寝姿勢骨盤対向部１２０および寝姿勢肩甲骨対向部１２１を形成する寝姿勢骨盤堰部１１１および寝姿勢肩甲骨堰部１１２を断続的に延びる堰部１１０で構成するとともに、座姿勢骨盤対向部１２２を形成する座姿勢骨盤堰部１１２を連続的に延びる堰部１１０で構成した。しかし、寝姿勢骨盤対向部１２０および寝姿勢肩甲骨対向部１２１を形成する寝姿勢骨盤堰部１１１および寝姿勢肩甲骨堰部１１２は連続的に延びる堰部１１０で構成するとともに、座姿勢骨盤対向部１２２を形成する座姿勢骨盤堰部１１２を断続的に延びる堰部１１０で構成することもできる。これらの場合、寝姿勢骨盤対向部１２０、寝姿勢肩甲骨対向部１２１および座姿勢骨盤対向部１２２は、流動体１０７を封入した密閉空間で構成することにより人体を比較的に高い反発力で弾性的に支持することができるとともに、寝姿勢骨盤対向部１２０、寝姿勢肩甲骨対向部１２１および座姿勢骨盤対向部１２２を貫通孔で構成することにより底着きの発生を防止することができる。
【００６８】
また、上記実施形態および上記各変形例においては、クッション本体１０１の密閉空間１０５内に形成される流路１３０の幅（Ｗ１，Ｗ２，Ｗ２’，Ｗ３，Ｗ４）をクッション本体１０１の外周部側ほど狭くなるように堰部１１０、空間縁部１０６および外周接合部１０４をそれぞれ形成した。この場合、クッション本体１０１の密閉空間１０５内に形成される流路１３０は、互いに隣接する堰部１１０、空間縁部１０６および外周接合部１０４間のすべての幅で均一な幅を維持する必要はなく、互いに隣接する堰部１１０、空間縁部１０６および外周接合部１０４間で一部の幅が狭く形成されていればよい。また、クッション本体１０１の密閉空間１０５内に形成される流路１３０は、密閉空間１０５内において均一な幅で形成することができるとともに、クッション本体１０１の外周部に向かって広くなるように形成することもできる。これらによって、流動体内臓クッション１００は、クッション本体１００の厚さを任意の厚さに設定することができる。
【００６９】
また、上記実施形態および上記各変形例においては、クッション本体１０１の密閉空間１０５内に形成される堰部１１０をクッション本体１０１の外周部側ほど太い太さで形成した。しかし、クッション本体１０１の密閉空間１０５内に形成される堰部１１０は、すべての堰部１１０の太さが同一で構成することができるとともに、クッション本体１０１の外周部側ほど細い太さで形成することもできる。また、堰部１１０は、１つの堰部１１０において太さが変化するように構成されていてもよい。これらによれば、流動体内蔵クッション１００は、流路１３０内を流れる流動体１０７の流れ易さを任意に設定することができる。
【００７０】
また、上記実施形態および上記各変形例においては、流動体内蔵クッション１００は、ユーザが横になる場所に設置して使用した。しかし、流動体内蔵クッション１００は、ユーザが使用する寝具や座布団と一体的に構成することもできる。具体的には、流動体内蔵クッションの一部または全部を布製や樹脂製のシート材で直接的または間接的に覆って流動体内蔵マットとして構成することができる。例えば、流動体内蔵マット２００は、図９に示すように、ベッドに用いるマットレス２０１内に流動体内蔵クッション１００を配置して構成することができる。この場合、流動体内蔵マット２００は、流動体内蔵クッション１００をウレタン製の板状の詰物（図示せず）上に配置して布製や樹脂製のシート材２０２で直接的に覆って構成することができるとともに、流動体内蔵クッション１００をウレタン製の板状の詰物内に配置した上でこの詰め物を介して間接的に布製や樹脂製のシート材２０２で覆って構成することができる。なお、図９においては、マットレス２０１内に内蔵される流動体内蔵クッション１００を二点鎖線で示している。
【００７１】
また、上記実施形態における流動体内蔵クッション１００を構成するクッション本体１０１、シート体１０２，１０３、密閉空間１０５、流動体１０７、注水口１０６ａ、堰部１１０、流路１３０の各形状、大きさ、数（量も含む）および材質などは、流動体内蔵クッション１００の仕様、用途またはユーザの好みなどに応じて適宜決定されるものであり、上記実施形態に限定されるものでないことは当然である。
【００７２】
また、上記実施形態においては、堰部１１０は、袋体１０１を構成するシート１０２とシート１０３とを互いに接合することにより形成されている。しかし、堰部１１０は、収容空間１０５内における前記２つのシート１０２，１０３を互いに繋げることにより同密閉空間内１０５を仕切って流動体１０７の流動を規制するように構成されていれば、必ずしも上記実施形態に限定されるものではない。例えば、堰部１１０は、シート１０２とシート１０３との間にシート１０２，１０３と同一または異なるシート状部材または板状部材などからなる壁状に形成することもできる。この場合、流路１３０は、２つの壁状の堰部１１０間に形成してもよいし、１つの壁状の堰部１１０に貫通孔を設けて構成してもよい。
【００７３】
Ｂ１…骨盤、Ｂ２…大転子、Ｂ３…肩甲骨、ＢＴ…座姿勢における骨盤の尾骨に対向する領域、ＢＺ…座姿勢における骨盤の坐骨に対向する領域、Ｙ…腰部周辺部、大腿部対向部Ｄ、ｔ１…寝姿勢骨盤対向部の厚さ、ｔ２…流路の厚さ、
Ｃ…注入口付近、
Ｗ１…堰部と空間縁部と間の一部の幅、Ｗ２…堰部と寝姿勢骨盤堰部との間の一部の幅、Ｗ２’…隣接する堰部間の一部の幅、Ｗ３…堰部と張出部との間の一部の幅、Ｗ４…張出部と寝姿勢骨盤堰部との間の一部の幅、
１００…流動体内蔵マット、１０１…クッション本体、１０２，１０３…シート、１０４…外周接合部、１０５…密閉空間、１０６…空間縁部、１０６ａ…注入口、１０６ｂ〜１０６ｄ…張出部、１０７…流動体、
１１０…堰部、１１０ａ…貫通孔、１１１…寝姿勢骨盤堰部、１１２…寝姿勢肩甲骨堰部、１１３…座姿勢骨盤堰部、
１２０…寝姿勢骨盤対向部、１２１…寝姿勢肩甲骨対向部、１２２…座姿勢骨盤対向部、
１３０…流路、
２００…流動体内蔵マット、２０１…マットレス、２０２…シート材。
【図１】
2014226247.tif 000003
【図２】
2014226247.tif 000004
【図３】
2014226247.tif 000005
【図４】
2014226247.tif 000006
【図５】
2014226247.tif 000007
【図６】
2014226247.tif 000008
【図７】
2014226247.tif 000009
【図８】
2014226247.tif 000010
【図９】
2014226247.tif 000011